(57)【要約】      （修正有）【課題】設置および撤去が容易でありながら、ホットエリアに設置しても高いバリア性を発揮し、ホットエリアからコールドエリアに入退するためのスクリーニングや除染等を行うための組立式の仮設チェンジングエリア装置を提供する。【解決手段】バリア性を持った入口と出口を対面壁に有し、内部に脱いだ防護衣・防護具の回収部を備えた組立式空間の脱衣エリア１と、バリア性を持った入口と出口を有し、脱衣エリアを通過した者が進入してその者の汚染状態を検査する検査手段を備えると共に、汚染が検出された者を除染エリア２の入口に導く第１出口と非汚染者をコールドエリア４に導く第２出口とを備えた組立式空間のスクリーニングエリア３と、脱衣エリアとスクリーニングエリアの間にあって、スクリーニングエリアの第１出口に連通した入口とスクリーニングエリアの入口に通じた出口を有し、スクリーニングエリアで汚染が検出された者を除染する除染手段を備えた組立式空間の除染エリアとを具備する。【選択図】図１
0003194807.tif 000002
【実用新案登録請求の範囲】
【請求項１】
バリア性を持った入口と出口を対面壁に有し、内部に脱いだ防護衣・防護具の回収部を備えた組立式空間の脱衣エリアと、バリア性を持った入口と出口を有し、前記脱衣エリアを通過した者が進入してその者の汚染状態を検査する検査手段を備えると共に、汚染が検出された者を除染エリアの入口に導く第１出口と非汚染者をコールドエリアに導く第２出口とを備えた組立式空間のスクリーニングエリアと、前記脱衣エリアとスクリーニングエリアの間にあって、前記スクリーニングエリアの第１出口に連通した入口とスクリーニングエリアの入口に通じた出口を有し、前記スクリーニングエリアで汚染が検出された者を除染する除染手段を備えた組立式空間の除染エリアとを具備することを特徴とする仮設チェンジングエリア装置。
【請求項２】
脱衣エリアと、スクリーニングエリアと、除染エリアとを形成する各空間を、それらの入口と出口を順次直列的に接続した形態の配置とした請求項１に記載の仮設チェンジングエリア装置。
【請求項３】
除染エリアの下流であってスクリーニングエリアの出口近傍に新たな防護衣・防護具を着装する着衣エリアを設けた請求項１又は２に記載の仮設チェンジングエリア装置。
【請求項４】
請求項１〜３の各エリアは、紙管製，金属製，合成樹脂製などによる柱材，梁材，根太材などの骨材、該骨材同士を接続する二方〜四方の継手、前記骨材と継手を用いて形成した空間枠構造の少なくとも四周の壁面、天井壁面、床壁面を形成する難燃性シートなどによる壁面シート材、各壁面のシート同士を接続するため各シート材の縁に設けられている面状又は線状のファスナ、各空間の例えば対向した壁面に設けられるバリア性の出入口を形成する出入口付き壁面シート材を組立てて形成した請求項１〜３のいずれかに記載の仮設チェンジングエリア装置。
【請求項５】
バリア性の入口と出口は、壁面に対してロールスクリーンタイプの上下方向で巻上げ引降しで開閉する第１シートと当該壁面に対して観音開きタイプで左右に開閉される第２シートと第３シートとが、又は、前記第２シートと第３シートとが、全部乃至一部を重複して設けられた請求項１〜４のいずれかに記載の仮設チェンジングエリア装置。
【請求項６】
開閉するシートは、全域または部分域を透明に形成した請求項５に記載の仮設チェンジングエリア装置。
【考案の詳細な説明】
【技術分野】
【０００１】
本考案は、例えば原子力発電所における中央制御室のような放射性物質により汚染されていないエリア（コールドエリア、又は、コールドともいう）に、汚染されたエリア（ホットエリア、又は、ホットともいう）から作業要員が入退しなければならないとき、前記作業要員が着ていた防護衣等を脱いでスクリーニングを受ける等の作業をするための組立式空間に関する。具体的には、着ていた防護衣・防護具を脱ぐための脱衣エリア，前記要員の汚染の有無をチェックするスクリーニングエリア，汚染が検出された作前記要員の除染をする除染エリアをまとめて仮設空間として設置するチェンジングエリア装置に関する。
【背景技術】
【０００２】
既設の原子力発電所などにおいて、中央制御室のような汚染されていないコールドエリアに対する改良工事やメンテナンス工事等の工事を施工するとき、或は、天災等による非常時の立入りなど、前記コールドエリアの周囲が汚染されたホットエリアである場合には、作業要員はホットエリアを経由してコールドエリアに入らざるを得ないため、当該コールドエリアに入る前に、前記ホットエリアで着用していた防護衣や防護具を脱いで、汚染検査（スクリーニング）を受け、汚染が有れば除染エリアで除染を受け、除染の後、新たな防護衣・防護具、或は、通常作業衣を着用してコールドエリアに入らなければならない。
【０００３】
しかし、既設のコールドエリア、例えば中央制御室には、上記のような脱衣や着替えをしたり、汚染検査をしたり、除染をするいわゆるチェンジングエリアは設けられていないから、上記のような周囲がホットエリアの中にあるコールドエリアでの各種工事や非常時の立入り等においては、工事期間中や非常時対応中に使用し、工事終了後や非常時対応が終了すれば撤去する仮設のチェンジングエリアを設置する必要がある。
【０００４】
上記チェンジングエリアは、仮設とはいえ脱衣エリア、スクリーニングエリア、除染エリアという複数の個別の機能を持つエリアを備えた設備であるから、設置形態が大がかりになり易い一方、工事終了後には早急に撤去しなければならないから、設置や撤去に多大な人手や時間を要するものであってはならない。
【先行技術文献】
【非特許文献】
【０００５】
【非特許文献１】「原子力防災基礎用語集」の「スクリーニング」の項                          公益財団法人原子力安全技術センター発行（２０１２                          年５月最終改訂）
【考案の概要】
【考案が解決しようとする課題】
【０００６】
本考案は、仮設されるチェンジングエリアについての問題点に鑑み、設置および撤去が容易でありながら、ホットエリアに設置しても高いバリア性を発揮し、ホットエリアからコールドエリアに入退するためのスクリーニングや除染等を行うための組立式の仮設チェンジングエリア装置を提供することを、課題とする。
【課題を解決するための手段】
【０００７】
上記課題を解決することを目的としてなされた本考案チェンジングエリア装置の構成は、バリア性を持った入口と出口を対面壁に有し、内部に脱いだ防護衣・防護具の回収部を備えた組立式空間の脱衣エリアと、バリア性を持った入口と出口を有し、前記脱衣エリアを通過した者が進入してその者の汚染状態を検査する検査手段を備えると共に、汚染が検出された者を除染エリアの入口に導く第１出口と非汚染者をコールドエリアに導く第２出口とを備えた組立式空間のスクリーニングエリアと、前記脱衣エリアとスクリーニングエリアの間にあって、前記スクリーニングエリアの第１出口に連通した入口とスクリーニングエリアの入口に通じた出口を有し、前記スクリーニングエリアで汚染が検出された者を除染する除染手段を備えた組立式空間の除染エリアとを具備することを特徴とするものである。
上記において、除染を終えた者と非汚染者が新たな防護衣，防護具を着ける着衣エリアを、スクリーニングエリア内の出口近傍に、又は、該出口に接続した組立式空間として設けることがある。
【０００８】
本考案チェンジングエリア装置の別例としては、脱衣エリアと、スクリーニングエリアと、除染エリアとを形成する組立式の各空間を、それらの入口と出口を順次直列的に接続した形態の配置としてもよい。この例においても出入口はバリア性を持たせて形成し、また、除染エリアの下流に着衣エリアを設けることがある。
【０００９】
上記例のチェンジングエリア装置においては、除染エリアの出口に通じたコールドエリアの入口の脇に隣接して該コールドエリアからの出口をバリア性を持たせて形成し、該出口に通じる空間を組立式の退域通路として形成することがある。前記退域通路は、並んで配置されている前記３つのエリア空間に平行な形態で設け、この退域通路の出口を、前記脱衣エリアの入口の脇に並べて配置することができる。
【００１０】
本考案では、前記退域通路となる組立式空間を設けず、コールドエリアの前記入口の脇に、バリア性を有する出口をコールドエリアからの出口として形成する形態もある。
【００１１】
上記チェンジングエリアを形成する各空間の構造例としては、一例として紙管製，金属製，合成樹脂製などによる柱材，梁材，根太材などの骨材、該骨材同士を接続する二方〜四方の継手、前記骨材と継手を用いて形成した空間枠構造の少なくとも四周の壁面、天井壁面、床壁面を形成する難燃性シートなどによる壁面シート材、各壁面のシート同士を接続するため各シート材の縁に設けられている面状又は線状のファスナ、各空間の例えば対向した壁面に設けられるバリア性の出入口を形成する出入口付き壁面シート材などを組立ててチェンジングエリアを構成する組立式の各空間を形成する。
【００１２】
本考案のチェンジングエリア装置は、上記のような構成部材を組立てれば仮設のエリアとして組立てられるから、工事に要する手間は本設のものに比べ著しく少なく、また、用済み後の撤去も組立て時と同様に本設のものに比べ人手も時間も少なくて済む。
【００１３】
なお、上記チェンジングエリアの床は、安定な平坦地であれば、そのままの地面に床壁面シート材を敷いて床として利用するが、設置場所が湿地や激しい不陸があるなど裸地面の上に床壁面シート材を敷くと不都合が懸念される場合には、木製やプラスチック製の仮設敷板（仮設床）やすのこなどを、床壁面シート材を敷くために各空間の地面の上に敷く。
【考案の効果】
【００１４】
本考案は、バリア性を持った入口と出口を対面壁に有し、内部に脱いだ防護衣・防護具の回収部を備えた組立式空間の脱衣エリアと、バリア性を持った入口と出口を有し、前記脱衣エリアを通過した者が進入してその者の汚染状態を検査する検査手段を備えると共に、汚染が検出された者を除染エリアの入口に導く第１出口と非汚染者をコールドエリアに導く第２出口とを備えた組立式空間のスクリーニングエリアと、前記脱衣エリアとスクリーニングエリアの間にあって、前記スクリーニングエリアの第１出口に連通した入口とスクリーニングエリアの入口に通じた出口を有し、前記スクリーニングエリアで汚染が検出された者を除染する除染手段を備えた組立式空間の除染エリアとを具備してチェンジングエリア装置とすると共に、該エリア装置を、柱や梁などの骨材、継手、ファスナー付き壁面シート材、出入口付壁面シート材を主材として組立て仮設するようにしたから、使い勝手が良好なチェンジングエリアを容易に形成することができると共に、その組立て設置と用済み後の撤去を至って省力的になし得るという利点がある。
【図面の簡単な説明】
【００１５】
【図１】本考案チェンジングエリア装置の一例の概要を説明するための平面図。
【図２】図１のチェンジングエリアを形成する３つの空間を直列的に連設して形成した本考案チェンジングエリア装置の別例を説明するための斜視図。
【図３】各エリア空間に設けられるバリア性を持たせた出入口を有する壁面の一例の正面図。
【考案を実施するための形態】
【００１６】
次に、本考案チェンジングエリア装置の実施の形態例について、図を参照して説明する。
【００１７】
図１のチェンジングエリアＣＡ１において、１は脱衣エリア、２は前記脱衣エリア１に接続して配置された除染エリア、３は前記除染エリアに接続して配置されたスクリーニングエリア、４は、前記スクリーニングエリア３において汚染されていないと判定された者（非汚染者）の出口３ａが、クリーンエリアＣＬを介して入口４ａに接続された中央制御室（以下、コールドエリア４ともいう）である。ここで、前記中央制御室４は放射性物質に汚染されていないからコールドエリアであるが、前記各エリア１〜３は汚染されたホットエリアである。なお、前記中央制御室４の入口４ａと兼用した出口は、クリーンエリアＣＬを介して後述する退域通路９のバリア性の入口に接続されている。
【００１８】
前記３つのエリア１〜３は、一例として、原子力発電所内の中央制御室４の内部工事等のために、この中央制御室４の外部にある汚染された他の域（ホットエリア）から中央制御室４（コールドエリア４）に作業要員が出入りするとき、その作業要員が着けていた防護衣・防護具の脱衣、脱衣した前記要員の汚染検査、汚染が検出された前記要員の除染をすることができるようになったチェンジングエリアＣＡ１を形成している。
【００１９】
このため、上記各エリア１〜３は、図２に模式的に示す柱，梁，根太などのフレーム材として使用する、例えば紙管やプラスチック管、或は金属製のパイプ材や型材などによる骨材５と、各骨材５を接続するための二方継手，三方継手，四方継手などの継手６と、これらの骨材５と継手６により直方体状の枠（フレーム）に壁面として取付けられるシート材であって、図示しないが、一例として四周に線ファスナ又は面ファスナの構成部材の一方の部材（又は、他方の部材、若しくは、両方の部材）を各辺に周設した難燃性のシート材７とを主要部材として組立てられ、組立てられた各エリア１〜３が、図１又は図２のように相互に連関接続されて、チェンジングエリアＣＡ１又は同ＣＡ２に構成される。
【００２０】
図３において、８は前記各エリア１〜３の壁面に入口又は出口として形成されるバリア性の出入口である。この出入口８は、図３の例では、壁面に対してロールスクリーンタイプの上下方向で巻上げ引降しができる第１シート８ａと、当該壁面に対して観音開きタイプで左右に開閉される第２シート８ｂと第３シート８ｃとを、全部乃至一部を重複して設けることにより、放射線に対するバリア性を確保している。バリア性は第1シート８ａを設けないで一部重複させる第２シート８ｂと第３シート８ｃによっても確保することができる。
ここで、上記入口（又は出口）８を形成する第１〜第３シート８ａ〜８ｃは、その全部又は一部を透明シートで形成することが望ましい。出入口８を通して内外の様子を視認できるからである。
【００２１】
図１に例示したチェンジングエリアＣＡ１では、除染エリア２を脱衣エリア１とスクリーニングエリア３の間に配置している。その理由は、コールドエリア４に入る作業要員の全員についてスクリーニングエリア３のサーベイメータＳｖ等の検出器で汚染の有無を検査しても、除染エリア２で除染の必要がある者は検査を受けた員数以下であることが殆んどである点に鑑み、汚染されていないとスクリーニングエリア３で判定された要員はそのままコールドエリア４に入ることができるようにするためである。図１の各エリア１〜３に矢印で作業要員の動線を示した。動線の先頭に付した丸囲み数字は、前記作業要員の動く順序の一例として示したものである。
【００２２】
図１の例では、除染エリア２を脱衣エリア１とスクリーニングエリア３の間に配置しているが、脱衣エリア１を出た要員の動線（次に行くべきエリア）は、スクリーニングエリア３であるから、図１に示したチェンジングエリアＣＡ１では、除染エリア２を、脱衣エリア１とスクリーニングエリア３を結ぶ線（要員の動線）に沿って２分し、一方の分割エリア２１を除染機器Ｃｍを配備した除染スペース２１とし、他方の分割エリア２２を脱衣エリア１とスクリーニングエリア３の間を連絡する通路兼待機スペース２２としている。前記脱衣エリア１においてＤｂは脱いだ防護衣・防護具を種類別に収容する回収容器である。また、図１の各エリア１〜３に示した白抜き矢印は作業要員の動線を示したもので、矢印の頭に付した丸囲み数字は前記要員の動く順序の一例を示したものである。
【００２３】
図１のチェンジングエリアＣＡ１において、前記脱衣エリア１の出口１ｂと除染エリア２における待機スペース２２の入口２２ａ、前記待機スペース２２の出口２２ｂとスクリーニングエリア３の入口３ａ、スクリーニングエリア３において汚染が検出された者が進む出口３ｂと除染エリア２における除染スペース２１の入口２１ａ、除染スペース２１の出口２１ｂと待機スペース２２の入口２２ｃは、それぞれ先に述べたバリア性の出入口８によって形成されている。なお、１ａは脱衣エリア１への入口である。バリア性の形態は、図３は一例であってこの形態に限られるものではない。
【００２４】
図１のチェンジングエリアＣＡ１においては、コールドエリア４の入口４ａと兼用した出口とに通じたクリーンエリアＣＬを介して入口９ａが連結された退域通路９が、前記３つのエリア１〜３に沿って平行に形成されている。この通路９の出口９ｂは、前記脱衣エリア１の入口１ａと同面に形成されている。前記通路９の出入口９ａ，９ｂも、前述の出入口８と同じバリア性の出入口として形成されている。
【００２５】
また、上記のチェンジングエリアＣＡ１では、一例として、スクリーニングエリア３について複数個の局部給排気ダクトＥＩｄが形成されている。各ダクトＥＩｄには、給排気手段（図示せず）がチェンジングエリアＣＡ１の内部（各エリア１〜３）に与圧をかけるように接続される。また、各エリア１〜３の境界（出入口）、図示した例では脱衣エリア１の入口１ａの外側、待機スペース２２の出口２２ｂ、スクリーニングエリア３の出口３ｂ、クリーンエリアＣＬの入口には、粘着マットＢｍを敷設して、靴底等に付着している放射性物質を転写付着させて当該物質のエリア内への侵入、エリア内での拡散を防いでいる。
【００２６】
本考案チェンジングエリア装置は以上の通りであって、ホットエリアに入域していた者がそこを退域して次の工事等の作業要員として中央制御室等のコールドエリアでの作業のために該コールドエリアに入域するとき、当該コールドエリアに入る前に、前記ホットエリアで着用していた防護衣・防護具を脱いでスクリーニングを受け、汚染されていれば除染できるように組立式で仮設チェンジングエリアを形成すると共に、そのエリアの形成には、柱や梁などの骨材と、該骨材の継手と、これらにより組立た直方体空間フレームに張設する壁面となるシート材を主要部材として用いるから、組立，撤去のいずれにおいても省力的に施工できるので、高い利便性が得られる。
【符号の説明】
【００２７】
ＣＡ１，ＣＡ２  チェンジングエリア
１  脱衣エリア
２  除染エリア
２１  除染スペース
２２  待機スペース
３  スクリーニングエリア
４  中央制御室（コールドエリア）
５  骨材
６  継手
７  シート材
８  シールド性の出入口
９  退域通路
【図１】
0003194807.tif 000003
【図２】
0003194807.tif 000004
【図３】
0003194807.tif 000005